(57)【要約】【課題】照射される紫外線が自動的に目に入らないようにし且つ照明機能を付加する。【解決手段】紫外線ＬＥＤ10、ＬＥＤ発光回路14、電源部17e及び電源スイッチ部13から成るブラックライトである。本体部に傾斜スイッチ25を付加固定し、紫外線ＬＥＤ10の光軸が略水平方向から上方に向かう状態のときには供給電力を遮断し、前記光軸が下方に向かう状態のときのみ電力が供給される。パイロットランプを２個設け、紫外線照射状態を赤色ＬＥＤからなるパイロットランプ16が標示し、それ以外の状態のときは白色ＬＥＤのパイロットランプ15が点灯する。これら２つのパイロットランプを両者の光軸を一致させて本体部に設け、同じ位置で発光させる。パイロットランプ15となる白色ＬＥＤとして高輝度のものを使用して照明用又は投光用とした。【選択図】図３
0003144332.tif 000002
【実用新案登録請求の範囲】
【請求項１】
紫外線ＬＥＤ(10)、ＬＥＤ発光回路(14)、電源部(17e) 、及び電源の入・切を行う電源スイッチ部(13)とから成る紫外線を照射するブラックライトにおいて、
本体部の適宜位置に傾斜スイッチ(25)を固定して回路に組み込み、紫外線ＬＥＤ(10)の中心投光向き（光軸）が略水平方向から下方に向かう状態のときには供給電力が通電された状態を維持し、紫外線ＬＥＤ(10)の光軸が略水平方向から上方に向かう状態のときは供給電力が遮断されることを特徴とするＬＥＤブラックライト。
【請求項２】
回路にパイロットランプを２個設け、一方のパイロットランプ(16)は紫外線照射状態を標示し、他方のパイロットランプ(15)は紫外線が照射されていない状態を標示するものであることを特徴とする求項１に記載のＬＥＤブラックライト。
【請求項３】
紫外線照射状態を標示するパイロットランプ(16)として赤色ＬＥＤを使用し、紫外線が照射されていない状態を標示するパイロットランプ(15)として赤色以外の色のＬＥＤを使用したことを特徴とする請求項２に記載のＬＥＤブラックライト。
【請求項４】
上記２つのパイロットランプ(15)(16)を本体部の適宜位置で、両者の光軸をほぼ一致させるように重ねて設け、これら２つのパイロットランプが同じ位置で発光するように構成したことを特徴とする請求項２又は３に記載のＬＥＤブラックライト。
【請求項５】
紫外線が照射されていない状態を標示するパイロットランプ(15)として、白色ＬＥＤを使用し、且つ、この白色ＬＥＤが照明用又は投光用として使用できる輝度のものを使用したことを特徴とする請求項２乃至４の何れか１項に記載のＬＥＤブラックライト。
【考案の詳細な説明】
【技術分野】
【０００１】
本考案は、紫外線ＬＥＤを使用したブラックライトに関するものである。
【背景技術】
【０００２】
現在、紫外線を照射する紫外線ＬＥＤは、ブラックライトの光源として使用されている。
このブラックライトは、宝石の鑑定、歯垢チェック、フロンガス漏れの検知、或は人体に有害な蛍光剤の混入の有無をチェックする用途等に多方面で幅広く用いられている。
本考案は、例えば、税関等で係官がパスポート等が真正なものであるか否かを検査する際に使用するものとして開発されたものである。
【０００３】
このブラックライトは、当然紫外線を照射するために、これが人の目に長時間入ると何らかの悪影響を及ぼす。一般によく知られているのは、この紫外線が長時間目に入ると、白内障を発症するという事実がある。
【考案の開示】
【考案が解決しようとする課題】
【０００４】
そこで、本考案において解決しようとする課題は、この種のブラックライトにおいて、そこから照射される紫外線が自動的に或は機能的に目に入らないようにすることである。
また、本考案においては、紫外線が照射されているとき或は照射されていないときを使用者に知らせる手段を付加することも本考案の課題であり、更には、このブラックライトに照明機能或は投光機能をも付加することをその課題としている。
【課題を解決するための手段】
【０００５】
上記課題を解決するために、本考案の第１のものは、紫外線ＬＥＤ、ＬＥＤ発光回路、電源部、及び電源の入・切を行う電源スイッチ部とから成る紫外線を照射するブラックライトにおいて、本体部の適宜位置に傾斜スイッチを固定して回路に組み込み、紫外線ＬＥＤの中心投光向き（光軸）が略水平方向から下方に向かう状態のときには供給電力が通電された状態を維持し、紫外線ＬＥＤの光軸が略水平方向から上方に向かう状態のときは供給電力が遮断されることを特徴とするＬＥＤブラックライトである。
【０００６】
本考案の第２のものは、上記第１の考案において、回路にパイロットランプを２個設け、一方のパイロットランプは紫外線照射状態を標示し、他方のパイロットランプは紫外線が照射されていない状態を標示するものであることを特徴とするＬＥＤブラックライトである。
【０００７】
本考案の第３のものは、上記第２の考案において、紫外線照射状態を標示するパイロットランプとして赤色ＬＥＤを使用し、紫外線が照射されていない状態を標示するパイロットランプとして赤色以外の色のＬＥＤを使用したことを特徴とするＬＥＤブラックライトである。
【０００８】
本考案の第４のものは、上記第２又は第３の考案において、上記２つのパイロットランプを本体部の適宜位置で、両者の光軸をほぼ一致させるように重ねて設け、これら２つのパイロットランプが同じ位置で発光するように構成したことを特徴とするＬＥＤブラックライトである。
【０００９】
本考案の第５のものは、上記第２乃至第４の考案において、紫外線が照射されていない状態を標示するパイロットランプとして、白色ＬＥＤを使用し、且つ、この白色ＬＥＤが照明用又は投光用として使用できる輝度のものを使用したことを特徴とするＬＥＤブラックライトである。
【考案の効果】
【００１０】
本考案の第１のものにおいては、ブラックライトの本体部の適宜位置に傾斜スイッチを付加したために、紫外線ＬＥＤの中心投光向き（光軸）が略水平から下方に向いているときには紫外線が照射されたままの状態となるが、他方この紫外線ＬＥＤの光軸が略水平から上方に向けられると、その紫外線の照射が遮断されることとなる。
それ故、本考案に係るブラックライトを使用する者が、仮にその光源である紫外線ＬＥＤを上に向けて、覗き込むような動作を行うと、上記傾斜スイッチの作用により電源供給が遮断されて、紫外線照射が停止され、自動的に目を保護することができるのである。
従って、例えば、税関官吏がパスポート等をチェックしている際に、このブラックライトを仮に上に向けたとしても、電源が切断され、紫外線が目の中に入ることが防止されるのである。
【００１１】
本考案の第２のものにおいては、異なる２つのパイロットランプを設けて、紫外線が照射されているときと、そうでないときとを使用者が視認することが可能となり、より安全性に寄与する。
【００１２】
本考案の第３のものにおいては、パイロットランプが赤色の時は紫外線が照射され、赤色以外の時には紫外線が照射されない状態とすることができる。
即ち、危険を知らせる赤色のパイロットランプが点灯している際には、そのブラックライトを他人の顔に向けるような操作は防止できるし、他方、例えば青色のパイロットランプが点灯している際は安全であることを示し、そのブラックライトの向きを考慮することは全く不要となるのである。
【００１３】
本考案の第４のものにおいては、上記２色の異なるパイロットランプを同じ位置に配置させたために、確認するのに便宜であると共に、本体部ハウジングにパイロットランプを設ける孔部を１個設ければよい、ということになる。
【００１４】
本考案の第５のものにおいては、紫外線の照射が停止されている状態を示すパイロットランプとして白色ＬＥＤを使用し、しかもこの白色ＬＥＤとしてより高輝度のものを使用しているため、このパイロットランプを投光用或は照明用のものとしても利用することが可能となり、ブラックライトの機能に加えて、いわば懐中電灯の機能をも付加したものとして実施できることとなる。
【考案を実施するための最良の形態】
【００１５】
以下、添付の図面と共に、本考案の一実施形態について説明する。
図１は、本考案のブラックライトＢに係る一実施形態の全体斜視図である。
ブラックライトＢの大きさは、手の平サイズで、左側前方の投光面から右側後方の長手方向長さが約１０ｃｍ、横幅が約４ｃｍ、厚みが２ｃｍ程度で、単三乾電池２個を電源として格納しているものである。
【００１６】
投光部には、３個の紫外線ＬＥＤ１０を配置し、これらは基板に固定して、押しボタン１２を押して電源を投入すると、投光部の紫外線ＬＥＤ１０が発光し、同時に本体内部に設けられた赤色ＬＥＤ（パイロットランプ）も同時に発光する。
紫外線ＬＥＤ１０は、本来、紫外線のみを発光するのであれば、その発光状況を視認することはできないのであるが、実際には紫外線以外の波長の光線も照射しているために、弱い紫色に発光した状態を呈するものである。
１５はパイロットランプであるが、図１において見て取れるパイロットランプ１５は、白色ＬＥＤを使用し、これは紫外線が照射されていない状態を標示するものである。
【００１７】
この白色ＬＥＤから成るパイロットランプ１５の投光軸と同一軸に合わせて、そのパイロットランプ１５の奥に上記赤色ＬＥＤが配置されているのである。
従って、投光部の紫外線ＬＥＤ１０が発光すると同時に、紫外線が投光されていることを示すパイロットランプとしての赤色ＬＥＤも発光し、その赤色光は、パイロットランプ１５を透過して外部から視認されるのである。
この赤色パイロットランプが、紫外線が照射されている状態を標示し、危険を知らせることとなる。
１７は、その内部に単三乾電池２本が収納されている電池格納部である。
【００１８】
押しボタン１２は、次図で説明するが、電源スイッチ部を動作させるもので、この電源スイッチ部は、３段階に動作する。
即ち、押しボタン１２の第一の押圧動作により電源スイッチ部が作動し、電源部の電力がＬＥＤ発光回路を介して紫外線ＬＥＤ１０を発光させ、同時に上記赤色ＬＥＤからなるパイロットランプを点灯させることができる。
【００１９】
押しボタン１２の第２の押圧動作により、電源スイッチ部が作動し、上記ＬＥＤ回路への電力供給が遮断されて、白色ＬＥＤからなるパイロットランプ１５に電力が供給されて、このパイロットランプ１５のみが点灯する。
この白色ＬＥＤからなるパイロットランプ１５が点灯しているときが、紫外線が照射されていないときである。即ち、このブラックライトの投光面を上方に向けても全く問題は生じない。
そして、押しボタンの第３の押圧動作により、電源部からの電力供給が完全に遮断され、上記ＬＥＤ回路及びパイロットランプ１５への電力供給が遮断される。
以上の３段階動作を電源スイッチ部は繰り返すものである。
【００２０】
更に、後の図で説明するが、このブラックライトＢの本体部内部の適宜位置には、本考案の第一の特徴部分である傾斜スイッチが固定されて設けられており、この傾斜スイッチの作用により、投光部に設けられた３個の紫外線ＬＥＤ１０の中心投光向き（光軸）が略水平方向から上方になると、紫外線ＬＥＤへの電力供給が遮断されるように構成している。
これにより、本考案に係るブラックライトＢは、その紫外線ＬＥＤの光軸が略水平から下向きのときには、紫外線が投光され、その光軸が略水平から上向きとなったときに、その紫外線の投光が停止されるのである。
【００２１】
図２は、本考案に係るブラックライトＢの上記実施形態の分解説明図である。
本考案に係るブラックライトＢは、その本体部が上方枠体２０と下方枠体２１とから構成される。
下方枠体２１の後方には、単三乾電池の電池格納部１７ｄ、１７ｄが設けられ、下方枠体２１の下面から乾電池を格納できるように構成している。
【００２２】
これら乾電池格納部１７ｄに格納された乾電池が電源部で、電源部からの電力は、電源スイッチ部１３を介して、ＬＥＤ発光回路が設けられた基板１４に供給され、紫外線ＬＥＤ１０を発光させることができる。
紫外線ＬＥＤ１０の発光と共に、赤色ＬＥＤからなる赤色パイロットランプ１６が点灯する。
【００２３】
この赤色パイロットランプ１６は、その発光方向の光軸（中心投光向き）を、白色ＬＥＤから成る白色パイロットランプ１６の光軸と一致させている。
これらの両ＬＥＤは、その外部に弾丸形状の透明のキャップ等の被覆部内に収納されているために、これら両ＬＥＤの光軸を一致させても、奥に位置する赤色パイロットランプ１６の点灯を本体部の外部から視認することが可能となるのである。
【００２４】
そして、本考案の第一の特徴部分である傾斜スイッチ２５が前記乾電池格納部１７ｄ、１７ｄの間の窪みに配置固定されている。
この傾斜スイッチ２５は、筒体形態を有し、その内部に導電性球体が収納され、その筒体内部で長手方向に移動可能となっており、その導電性球体が図中左側端部に位置したときに通電状態となり、その状態から導電性球体が右方向に移行すると通電が遮断されるものである。
従って、紫外線ＬＥＤ１０の投光軸が略水平状態から下向きのときには、この紫外線ＬＥＤ１０に通電され、発光状態となり、投光軸が略水平状態から上向きになったときには、上記導電性球体が右側に移行することとなり、同時に紫外線ＬＥＤへの通電が遮断されることとなるのである。
【００２５】
図３は、本考案に係るブラックライトＢの上記実施形態の概略配線図である。
まず電源スイッチ部１３を押して第一動作を行うと、電源部１７ｅから電力が供給され、ＬＥＤ発光回路１４へと電力が供給されて、紫外線ＬＥＤ１０と赤色パイロットランプ１６が同時に点灯する。
この状態が本考案に係るブラックライトＢの使用状態であり、紫外線が紫外線ＬＥＤ１０から照射、投光される。
【００２６】
この状態で、ブラックライトＢの紫外線投光軸を略水平状態から上向きにすると、傾斜スイッチ２５の作用により、電力供給が遮断されて紫外線ＬＥＤ１０は消灯する。このとき赤色パイロットランプ１５は、点灯したままの状態を維持する。
再度、投光軸を略水平状態から下向きにすると、傾斜スイッチ２５の作用により通電されて紫外線ＬＥＤ１０は点灯することができる。
【００２７】
電源スイッチ部１３をもう一度押して第二動作を行うと、今度はＬＥＤ発光回路１４への通電が遮断されて、白色パイロットランプ１５に通電される。これにより、白色ＬＥＤが点灯して紫外線が投光されていないことを標示するのである。
この実施形態では、この白色ＬＥＤとして広角高輝度ＬＥＤを使用しているために、この白色パイロットランプ１５を照明用又は投光用として使用することができるように構成している。
【００２８】
そして、この図からよく解る通り、白色ＬＥＤ（パイロットランプ１５）と赤色ＬＥＤ（パイロットランプ１６）のそれぞれの光軸を一致させて配置している。
本体部の外側壁面Ｗからは、パイロットランプ１５の先端部のみが露出しているが、その後方奥に位置する赤色パイロットランプ１６の点灯も（紫外線ＬＥＤが点灯しているときに）本体部の外側から視認することができるものである。
最後に電源スイッチ部１３をもう一度押して第三動作を行うと、電源が完全に遮断され、紫外線ＬＥＤ１０、パイロットランプ１６、１５何れも消灯することとなり、これが不使用状態となる。
【００２９】
以上、本考案の一実施形態について説明したが、本考案においては以下の通り種々設計変更が可能である。
先ず、上記実施形態では、主波長３７５ｎｍの紫外線が照射できるＬＥＤを３個装備しているが、紫外線ＬＥＤは適宜必要に応じて異なる波長のものを選択することができ、その数も１個でも２個以上でもよい。
紫外線ＬＥＤの背後にリフレクターを装備するのも自由である。
【００３０】
パイロットランプとしての白色ＬＥＤは、上記実施形態では、直径約５ｍｍの広角高輝度ＬＥＤを使用して照明用としても使用できるようにしたが、これを輝度の低い単なる白色パイロットランプとして実施することも可能である。
このように単なるパイロットランプとして実施する場合には、この白色パイロットランプを他の色合いである青色、緑色或は黄色のＬＥＤを使用することもできる。
【００３１】
傾斜スイッチも種々のものがあるが、本考案の場合には、上向きと下向きでスイッチのオン・オフ切替えができればよいので、筒体形状のものを使用した。
以上、本考案は、傾斜スイッチを採用して投光面の向きに応じて紫外線ＬＥＤの照射をコントロールし、目に安全なものとし、且つパイロットランプに工夫を加えることにより携帯照明器具としても使用できるようにしたこれまでにない極めて安全性の高い及び用途の広いブラックライトを提案することができたものである。
【図面の簡単な説明】
【００３２】
【図１】本考案の一実施形態を図示する全体斜視図である。
【図２】本考案の一実施形態を図示する分解説明図である。
【図３】本考案の一実施形態に係る概略配線図である。
【符号の説明】
【００３３】
１０  紫外線ＬＥＤ
１３  電源スイッチ部
１４  基板（ＬＥＤ発光回路）
１５  白色パイロットランプ
１６  赤色パイロットランプ
１７ｄ  乾電池格納部
１７ｅ  電源部
２５  傾斜スイッチ
【図１】
0003144332.tif 000003
【図２】
0003144332.tif 000004
【図３】
0003144332.tif 000005